(57)【要約】【課題】  本発明は、上記問題点を解決すべく、顔面から離脱を防ぐことが可能なファイスカバーシートを提供することを目的とする。【解決手段】  本発明のフェイスカバーシートは、呼吸用の１つ又は複数の孔と、ずれを防止するための接着手段と、を有することを特徴とする。また、本発明のフェイスカバーシートの好ましい実施態様において、さらに、施術対象者を特定するための特定手段を有することを特徴とする。また、本発明のフェイスカバーシートの好ましい実施態様において、前記特定手段が、数字、アルファベット、ひらがな、又はかたかなであることを特徴とする。【選択図】図１
2012205652.tif 000002
【特許請求の範囲】
【請求項１】
呼吸用の１つ又は複数の孔と、ずれを防止するための接着手段と、を有することを特徴とするフェイスカバーシート。
【請求項２】
さらに、施術対象者を特定するための特定手段を有することを特徴とする請求項1記載のフェイスカバーシート。
【請求項３】
前記特定手段が、数字、アルファベット、ひらがな、又はかたかなであることを特徴とする請求項1又は2項に記載のフェイスカバーシート。
【請求項４】
前記特定手段が、筆記具で文字を書くことができる面を有することを特徴とする請求項１〜３項のいずれか1項に記載のフェイスカバーシート。
【請求項５】
前記接着手段が着脱可能である請求項１〜４項のいずれか1項に記載のフェイスカバーシート。
【請求項６】
前記接着手段のフェイスカバーシート側との接着力が、施術対象者側との接着力よりも大きいことを特徴とする請求項１〜５項のいずれか１項に記載のフェイスカバーシート。
【請求項７】
前記接着手段の一部に非接着部分を有する請求項１〜６項のいずれか１項に記載のフェイスカバーシート。
【請求項８】
前記フェイスカバーシートが、絵柄を有する請求項１〜７項のいずれか1項に記載のフェイスカバーシート。
【請求項９】
前記絵柄が、１又はそれ以上の色彩で構成されている請求項１〜８項のいずれか1項に記載のフェイスカバーシート。
【発明の詳細な説明】
【技術分野】
【０００１】
本発明は、ファイスカバーシートに関する。
【背景技術】
【０００２】
従来、病院、美容室店等での施術対象者の施術、洗髪時等において、心理的ストレスを緩和するために、施術対象者の顔面にタオル、ガーゼなどのシートにより顔を覆うことが行われている。顔にシート等が覆われることにより、施術対象者の視界が遮られて、心理的ストレスが緩和されるというものである。このようなシートとして、人の顔面を覆うためのシートであって、人の顔面を覆った状態で当該人がその口にくわえるための舌片部を形成するための舌片部形成部を有するファイスカバーシートが知られている（特許文献１）。
【先行技術文献】
【特許文献】
【０００３】
【特許文献１】特開2009-279021
【発明の概要】
【発明が解決しようとする課題】
【０００４】
しかしながら、従来においては、顔面にシートが載せられているだけなので、適切な位置からシートが移動して顔面から離脱してしまうという問題を有していた。
【０００５】
かかる問題を解決するために、上記特許文献１では、施術対象者がその人の口にくわえるための舌片部等を有するシートが提案された。しかしながら、施術対象者は、施術期間中、または洗髪時間中に、常時口ではさんだ状態でいなければならず、かえってストレスであり、現実的ではないように考えられる。したがって、他の手段によって、シートの適切な位置からのずれを防止する方法が望まれていた。
【０００６】
そこで、本発明は、上記問題点を解決すべく、顔面から離脱を防ぐことが可能なファイスカバーシートを提供することを目的とする。
【課題を解決するための手段】
【０００７】
上記目的を達成するために、本発明者は、施術対象者の立場等からフェイスカバーシートについて鋭意検討を行った結果、本発明を見出すに至った。
【０００８】
すなわち、本発明のフェイスカバーシートは、呼吸用の１つ又は複数の孔と、ずれを防止するための接着手段と、を有することを特徴とする。
【０００９】
また、本発明のフェイスカバーシートの好ましい実施態様において、さらに、施術対象者を特定するための特定手段を有することを特徴とする。
【００１０】
また、本発明のフェイスカバーシートの好ましい実施態様において、前記特定手段が、数字、アルファベット、ひらがな、かたかなであることを特徴とする。
【００１１】
また、本発明のフェイスカバーシートの好ましい実施態様において、前記特定手段が、筆記具で文字を書くことができる面を有することを特徴とする。
【００１２】
また、本発明のフェイスカバーシートの好ましい実施態様において、前記接着手段が着脱可能であることを特徴とする。
【００１３】
また、本発明のフェイスカバーシートの好ましい実施態様において、前記接着手段のフェイスカバーシート側との接着力が、施術対象者側との接着力よりも大きいことを特徴とする。
【００１４】
また、本発明のフェイスカバーシートの好ましい実施態様において、前記接着手段の一部に非接着部分を有することを特徴とする。
【００１５】
また、本発明のフェイスカバーシートの好ましい実施態様において、前記フェイスカバーシートが、絵柄を有することを特徴とする。
【００１６】
また、本発明のフェイスカバーシートの好ましい実施態様において、前記絵柄が、１又はそれ以上の色彩で構成されていることを特徴とする。
【発明の効果】
【００１７】
本発明のフェイスカバーシートによれば、接着手段を有するので、施術中にシートがずれ落ちるのを防止できるという有利な効果を奏する。また、本発明のフェイスカバーシートによれば、呼吸用の１つ又は複数の孔を有することから、呼吸が容易であり、圧迫感が少ないという有利な効果を奏する。
【図面の簡単な説明】
【００１８】
【図１】本発明の一実施態様におけるフェイスカバーシートの一例を示す図である。
【発明を実施するための形態】
【００１９】
本発明のフェイスカバーシートは、呼吸用の１つ又は複数の孔と、ずれを防止するための接着手段と、を有する。前記孔は呼吸用であり、施術対象者が、呼吸することができれば特に限定されるものではない。したがって、孔の形状、孔の数等については、特に限定されない。呼吸をし易くするサポート的な観点から、孔の位置は、施術対象者の口の近くや、鼻の近くが好ましい。また前記孔は、口の近くに1つ孔を有してもよく、また、鼻の近くに１つ孔を有してもよい。また口及び鼻の両方に孔を設けてもよい。孔の大きさは特に限定されないが、１つの孔の場合、呼吸をし易くするという観点から、複数の孔を設置する場合の当該孔の大きさより、大きめの孔が好ましいであろう。
【００２０】
また、孔の配置を、絵柄のように構成することも自由である。例えば、水玉模様に配置された孔を複数設けてもよい。なお、フェイスカバーシートの形状は、特に限定されない。
【００２１】
また、フェイスカバーシートが施術中にずれ落ちることを防止するための、前記接着手段としては、特に限定されない。例えば、市販の両面テープや、粘着テープを利用可能である。施術者の不快感を少しでも和らげるために、これらの両面テープの粘着力、接着力を弱めて使用してもよい。接着手段の接着力を弱める方法としては、例えば、接着面を数日間から数週間、数ヶ月間放置して、接着力を低下させて使用してもよい。水で接着面を洗って乾燥させ、場合により洗浄と乾燥を繰り返して用途に応じて接着力を弱めてもよい。
【００２２】
また、本発明のフェイスカバーシートの好ましい実施態様において、前記接着手段が着脱可能であることを特徴とする。容易に取り外すことができれば、施術対象者の不快感は軽減されるし、着脱可能であれば、誤ってずれてフェイスカバーシートをセットしたとしてもすぐに位置を修正して直すことができる。
【００２３】
また、本発明のフェイスカバーシートの好ましい実施態様において、前記接着手段のフェイスカバーシート側との接着力が、施術対象者側との接着力よりも大きいことを特徴とする。このようにすることで、施術後に、本発明のフェイスカバーシートを取り除いたとき、接着手段が施術者側に取り残されることを防止することができる。このように接着力に軽重を設ける方法は特に限定されないが、例えば、施術対象者側の接着面のみを、数日間から数週間、数ヶ月間放置して、接着力を低下させて使用してもよい。水で接着面を洗って乾燥させ、場合により洗浄と乾燥を繰り返して用途に応じて接着力を弱めることができる。また、接着面に、一部ガーゼ、綿などの緩衝材を介して施術対象者に接着してよい。このようにガーゼなどの緩衝材を介して接着することにより、より施術対象者の接着による不快感を解消することができる。
【００２４】
また、本発明のフェイスカバーシートの好ましい実施態様において、前記接着手段の一部に非接着部分を有する。非接着部分があれば、当該非接着部分を手でつまんでフェイスカバーシートを施術対象者から取り外すことができる。接着面の直ぐ近くでフェイスカバーシートをはずすことができるので、容易にとれやすいのみならず、他のフェースカバーシートを手でつまんで取り外す場合に、一部フェイスカバーシートが敗れて施術対象者側に残存してしまうことを解消することができるという利点を有する。
【００２５】
また、本発明の好ましい実施態様において、さらに、施術対象者を特定するための特定手段を有する。特定手段は、施術対象者を特定することができれば特に限定されない。これは、例えば、医療機関等により、施術者を特定できずに、違う臓器を移植してしまう等の事故が生じており、フェイスカバーシートで覆われていて、施術者本人を特定困難なときでも、本人を特定可能とする。美容室等では、フェイスカバーシートで顔を覆われていても、本人の顔以外に服装、外観等で本人であることを認識可能であるが、医療等によって、施術者の場合には、病院で貸与されている共通の服、ガウン、白衣等を着用している場合も少なくない。特定手段は、このように、フェイスカバーシートを覆われていても、本人であることを認識する上でサポートすることができる。
【００２６】
前記特定手段の特定方法としては特に限定されない、例えば、特定手段として、数字、アルファベット、ひらがな、かたかな等で特定してもよい。この場合、数字等と施術対象者とを、予め関連づけることにより、施術対象者を特定することができる。数字による場合は、当該施術者の入室時間により、例えば、２０１１年3月24日12時11分に入室したとすれば、２０１１０３２４１２１１等としてもよい。日まで区別する必要がなければ、単に１２１１としてもよく、もっと単純化して、入室順に識別番号１、２、３・・・等と付与したものを使用して、特定手段に用いてもよい。
【００２７】
また、本発明のフェイスカバーシートの好ましい実施態様において、前記特定手段が、筆記具で文字を書くことができる面を有する。特定手段が、筆記具で文字を書くことができる面を有していれば、当該面へ当該施術対象者本人の氏名等を直接書き込むことも可能である。病院によって、当該施術対象者の認識番号が付与されていれば、当該認識番号を記載してもよい。
【００２８】
また、本発明のフェイスカバーシートの好ましい実施態様において、前記フェイスカバーシートが、絵柄を有することを特徴とする。絵柄として特に限定されない。例えば、花柄等を例示することができる。柄があれば、施術する側も、施術される側も退屈せず、退屈しない等の効果が期待できる。絵柄は、１又はそれ以上の色彩で構成されていてもよい。もし、施術に工程がある場合には、絵柄によって、どの工程にあるのか区別するための手段として用いてもよい。すなわち、絵柄は工程を特定手段としても用いることができる。なお、絵柄としているが、単に、色で区別してもよい。美容室等によっては、その店のカラーが存在するので、当該カラーに従って、絵柄、色を決定してもよい。
【００２９】
次に、図面を参照して、本発明のフェイスカバーシートについて説明する。図１は、本発明の一実施態様におけるフェイスカバーシートの一例を示す図である。１はフェイスカバーシート、２は孔(呼吸用)、３は接着手段、４は接着手段、５は非接着部分、６は特定手段、７は施術対象者の目の想定部分、８は美容室用と医療用との使い分けのための切り離し線を、それぞれ示す。フェイスカバーシート１の材質は特に限定されず、ガーゼ、綿、紙、再生紙等を利用可能である。好ましくは、生分解性の材料を用いることができる。洗濯が不要であるという観点から、フェイスカバーシート１として、紙、再生紙等を用いて、使い捨てあるいは再生紙として再利用に供してもよい。再生紙として利用する場合には、紙以外の部分は、取り除きやすい構造としてもよい。例えば接着手段３，４等が紙で構成されていない場合には、当該接着手段３，４部分のみを取り外しやすいように、点線で切りこみを加えておくことで、当該接着手段部分を引きちぎりやすくしてもよい。なお、フェイスカバーシート１の形状は、図1のものに限定されない。他の形状のものを用途に応じて適用可能である。
【００３０】
２は孔であり、図では、施術対象者の口、鼻部分をメインに孔が配置されている。当該孔によって呼吸し易くするためである。孔の配置は、図１の構成に限定されず、上述のように水玉等にデザイン化して配置してもよい。図１のＡ−Ｂ線は、上側を髪の毛側、下側を顎側として、本発明のフェイスカバーシートを半分に区切った場合のおよそ半分(略半分)に位置する線である。フェイスカバーシートの形状は、長方形、三角形等形状は問わないが、図１のように、フェイスカバーシートがずれて視界を遮断できなくなるのを防止するという観点から、前記Ａ−Ｂ線を境に、下側よりも上側のシート幅が広い方が良い。万一、フェイスカバーシートがずれても、折角覆ったカバーが外れて、視界を遮断できなくなるのを防止することができる。つまりシート幅を広くすることで、多少ずれても目の部分は覆われている状態を維持することができる。
【００３１】
接着手段３、４については、図１ではフェイスカバーシート１の上部に設けてあるが、接着手段の位置は特に限定されない。また、図１では、1か所に配置しているが、複数個所に配置してもよい。施術対象者の不快感をより防止するという観点から、1か所が好ましい。接着手段３は、両面テープをフェイスカバーシート１の内側に貼り付け、施術対象者に接着する。また、接着手段４は、別の態様におけるもので、セロハンテープや紙テープ、テーピング等によってフェイスカバーシート１を接着することができる。接着手段３，４の両方が記載されているが、いずれか片方でもよく、両方あってもよい。５は、非接着部分である。当該部分を手でつまんでフェイスカバーシート１を施術対象者から取り除くことができる。
【００３２】
特定手段６は、図１では、フェイスカバーシート1の右上、左下に配置しているが、フェイスーカバーシート上であれば、特に位置は限定されない。特定手段6の大きさも特に限定されない。もし、特定手段６に文字等を書きこんで施術対象者を特定する場合には、特定手段の大きさはもう少し大きくするほうが扱いやすいであろう。特定手段６に、施術対象者を特定するための情報を与えていく。例えば、数字、アルファベット、かたかな、ひらがな等を利用できる。７は施術対象者の想定される目の位置である。目を十分に隠すために、Ａ−Ｂ線より上部の部分のフェイスカバーシートの横幅は、広く取ってある。すなわち、仮に、フェイスカバーシート１がずれても引き続き目を覆っている状態を維持することができるように、Ａ−Ｂ線より上部の部分のフェイスカバーシートの横幅は、広く取ってある。フェイスカバーシートが別の形状の場合であって、目の位置がくる範囲は、フェイスカバーシートを広めに設定することがよい。８は美容室用と医療用との使い分けのための切り離し線である。医療によっては、目さえ覆うことができれば、必ずしも、Ａ−Ｂ線より下の部分、すなわち、口等まで覆う必要がない場合がある。この場合、８の線に切りこみがいれてあり、容易に引っ張れば8の線に沿って切れるように構成する。そうすれば、美容店用と医療用等に使い分けが可能である。８の切りとり線は、仮に設定しているが、用途によっては、もう少し上側、あるいはもう少し下側に切りとり線８があってもよい。施術対象者が、大人か子供かのよっても、切りとり線８を瞬時に切りとって、フェイスカバーシートとして利用可能である。
【００３３】
なお、施術対象者の目の位置の想定部分７には、不快感を低減する観点から、フェイスカバーシート１の内側に、さらにガーゼ、綿等の介在層を設けて目に当たる部分を緩和してもよい。当該介在層の大きさ、範囲は、目を隠すのに十分に大きい範囲となる。
【産業上の利用可能性】
【００３４】
本発明のフェイスカバーシートは、美容、医療等において、顔を覆うカバーを必要とする分野において、利用可能である。
【符号の説明】
【００３５】
１      フェイスカバーシート
２      孔(呼吸用)
３      接着手段
４      接着手段
５      非接着部分
６      特定手段
７      施術対象者の目の位置の想定部分
８      美容室用と医療用との使い分けのための切り離し線
【図１】
2012205652.tif 000003